(57)【特許請求の範囲】
【請求項１】
複数の内容物を収容する収容体と、該収容体に相対的に回転可能に装着されていると共に該収容体の底部に対向する隔壁部を有する本体と、を備える容器であって、
前記底部には、前記回転の回転軸線から離間した位置に配設されていると共に前記内容物が通過可能な通過孔が設けられ、
前記隔壁部には、前記回転を許容しつつ前記通過孔を閉塞する閉塞部と、前記収容体内から前記通過孔を通って前記隔壁部上に排出された前記内容物を吐出する吐出口と、が設けられ、
前記閉塞部の一部分には、前記底部側に向けた第一開口と前記吐出口側に向けた第二開口とを有すると共に定量の前記内容物を充填可能な充填凹部が形成されており、
前記収容体及び前記本体は、
前記通過孔と前記第一開口とを連通させつつ前記第二開口を閉鎖し、前記収容体内の前記内容物を前記通過孔及び前記第一開口から前記充填凹部内に供給して該充填凹部内に定量の前記内容物を充填させる第一位置と、
前記閉塞部で前記通過孔を閉塞しつつ前記第二開口を開放し、前記充填凹部内に充填された定量の前記内容物を前記第二開口から前記隔壁部上に排出して前記吐出口から吐出させる第二位置と、
の間で回転操作可能に組み合わされ、
前記閉塞部は前記回転軸線を中心にして円環状に形成され、該閉塞部に複数の前記充填凹部が間欠的に配設されており、
前記閉塞部の内側領域に前記吐出口が配設されていることを特徴とする容器。
【請求項２】
請求項１に記載の容器において、
前記収容体には、前記底部から垂下され、前記第一位置において前記充填凹部と合致して前記第二開口を閉鎖し、前記第二位置において前記充填凹部から外れて前記第二開口を開放するリブが備えられていることを特徴とする容器。
【発明の詳細な説明】
【技術分野】
【０００１】
本発明は、内容物を収容し、且つその内容物を吐出させることができる容器に関するものである。
【背景技術】
【０００２】
この種の容器として、従来、例えば下記特許文献１に示されているような、内容物である錠剤を一粒ずつ供給するための錠剤供給装置が知られている。この装置は、ハウジングの内側に、押し込み操作可能な内部要素が収容された構成からなる。この装置によれば、内部要素を押し込み操作する度に錠剤が一粒ずつ吐出される。
【先行技術文献】
【特許文献】
【０００３】
【特許文献１】特許第３８９５７８１号公報
【発明の概要】
【発明が解決しようとする課題】
【０００４】
しかしながら、上記した従来の錠剤供給装置では、定量吐出の確実性が低く、１度の押し込み操作で二粒以上の錠剤が吐出されるなどの不具合が生じ易いという問題が存在する。
【０００５】
本発明は、上記した従来の問題が考慮されたものであり、簡易な構成で、定量の内容物を正確に吐出させることができる容器を提供することを目的としている。
【課題を解決するための手段】
【０００６】
本発明に係る容器は、複数の内容物を収容する収容体と、該収容体に相対的に回転可能に装着されていると共に該収容体の底部に対向する隔壁部を有する本体と、を備える容器であって、前記底部には、前記回転の回転軸線から離間した位置に配設されていると共に前記内容物が通過可能な通過孔が設けられ、前記隔壁部には、前記回転を許容しつつ前記通過孔を閉塞する閉塞部と、前記収容体内から前記通過孔を通って前記隔壁部上に排出された前記内容物を吐出する吐出口と、が設けられ、前記閉塞部の一部分には、前記底部側に向けた第一開口と前記吐出口側に向けた第二開口とを有すると共に定量の前記内容物を充填可能な充填凹部が形成されており、前記収容体及び前記本体は、前記通過孔と前記第一開口とを連通させつつ前記第二開口を閉鎖し、前記収容体内の前記内容物を前記通過孔及び前記第一開口から前記充填凹部内に供給して該充填凹部内に定量の前記内容物を充填させる第一位置と、前記閉塞部で前記通過孔を閉塞しつつ前記第二開口を開放し、前記充填凹部内に充填された定量の前記内容物を前記第二開口から前記隔壁部上に排出して前記吐出口から吐出させる第二位置と、の間で回転操作可能に組み合わされ、前記閉塞部は前記回転軸線を中心にして円環状に形成され、該閉塞部に複数の前記充填凹部が間欠的に配設されており、前記閉塞部の内側領域に前記吐出口が配設されていることを特徴としている。
【０００７】
このような特徴により、内容物を取り出す際には、まず、収容体と本体との相対的な位置を第一位置に合せる。これにより、収容体の通過孔と充填凹部の第一開口とが連通されるので、収容体内の内容物が通過孔を通って第一開口から充填凹部内に供給される。このとき、充填凹部の第二開口が閉鎖されているので、充填凹部内に供給された内容物は充填凹部内に留まる。また、充填凹部は、内容物を定量だけ充填されるように構成されているので、充填凹部内に充填される内容物の量は一定量となる。次に、収容体と本体とを相対的に回転させて第二位置に合せる。これにより、充填凹部の第二開口が開放されるので、充填凹部内に充填された内容物が第二開口から排出される。このとき、収容体の通過孔が閉塞部で閉塞されているので、充填凹部内の内容物が排出されるのと同時に充填凹部内に内容物が供給されることがない。このため、第二開口から排出される内容物の量が、充填凹部によって定められた一定量となる。第二開口から排出された定量の内容物は、隔壁部上を通過して吐出口から吐出される。
また、収容体と本体とを回転させて第一位置から第二位置に移動させた後、同じ回転方向にさらに回転させると、再び第一位置となる。つまり、収容体と本体とを一方向に連続して回転操作することで、第一位置と第二位置とに交互に合わせられる。
これにより、容器の操作性を向上させることができる。しかも一方向に連続回転させることで、容易に定量の内容物を連続して複数回吐出させることができる。
【０００８】
また、本発明に係る容器は、前記収容体には、前記底部から垂下され、前記第一位置において前記充填凹部と合致して前記第二開口を閉鎖し、前記第二位置において前記充填凹部から外れて前記第二開口を開放するリブが備えられていることが好ましい。
【０００９】
この構成によれば、収容体と本体との相対的な位置を第一位置にすると、リブが充填凹部と合致する位置に配置されるので、このリブによって充填凹部の第二開口が遮られ、充填凹部内に供給された内容物が確実に充填凹部内に留まる。また、収容体と本体との相対的な位置を第二位置にすると、リブが充填凹部から外れた位置に配置されるので、充填凹部の第二開口が開放され、充填凹部内の内容物が確実に排出される。これにより、部品数を増やしたり構成を大幅に複雑化したりすることなく、極めて簡易な構成で、より確実に定量の内容物を吐出させることができる。
【発明の効果】
【００１２】
本発明に係る容器によれば、簡易な構成で、定量の内容物を正確に吐出させることができる。
【図面の簡単な説明】
【００１３】
【図１】本発明に係る容器の実施形態を説明するための容器の縦断面図である。
【図２】図１に示す容器に備えられた本体の平面図である。
【図３】図１に示す容器に備えられた本体の斜視破断図である。
【図４】本実施形態の容器の一部分を示す破断側面図であり、（ａ）は内容物を充填凹部に充填する前の状態を示しており、（ｂ）は内容物が充填凹部に充填された状態を示しており、（ｃ）は充填凹部内の内容物を排出させる状態を示している。
【図５】図１に示す容器の収容体と本体とが第一位置に配置された状態を示す本体の平面図である。
【図６】図１に示す容器の収容体と本体とが第一位置に配置された状態を示す容器の縦断面図である。
【図７】図１に示す容器の収容体と本体とが第二位置に配置された状態を示す容器の縦断面図である。
【図８】本発明に係る容器の変形例を説明するための容器の縦断面図である。
【発明を実施するための形態】
【００１４】
以下、本発明に係る容器の実施の形態について、図面に基づいて説明する。
【００１５】
図１に示す容器１は、複数の粒状の内容物Ｘを収容すると共にその内容物Ｘを定量だけ吐出させることができる携帯可能な容器である。この容器１に収容する内容物Ｘは、例えば錠剤状の医薬品であるが、医療目的以外の錠剤状の薬品であってもよく、或いは粒状の食品、その他の粒状の物品などであってもよい。
なお、図１に示す鎖線Ｏは容器１の中心軸線を示しており、本実施形態では、前記中心軸線Ｏに沿った方向を「軸方向」とし、中心軸線Ｏに直交する方向を「径方向」とし、中心軸線Ｏを中心として旋回する方向を「周方向」とする。
【００１６】
上記した容器１の概略構成としては、図１に示すように、複数の内容物Ｘを収容する収容体２と、収容体２に中心軸線Ｏ回りに回転可能に装着されていると共に内容物Ｘを吐出させる吐出口３６を有する本体３と、収容体２に取り外し可能に被着された蓋体４と、を備えている。本体３は、収容体２の下方に配設されており、本体３の上部が、収容体２に中心軸線Ｏ回りに相対的に回転可能に取り付けられている。蓋体４は、収容体２に対して共周り可能且つ取り外し可能に嵌合されており、また、本体３に対しては中心軸線Ｏ回りに相対的に回転可能になっている。なお、図１に示すように、開封前の容器１には、吐出口３６を閉塞する密封シールＰが貼着されているが、この密封シールＰは容器１の使用前に剥がされる。
【００１７】
ここで、上記した各部品（収容体２、本体３、蓋体４）の構成についてそれぞれ詳細に説明する。
【００１８】
（本体）
本体３は、図１〜図３に示すように、中心軸線Ｏを中心にして軸方向に延在する筒状の内壁部３０と、内壁部３０の下端に設けられた隔壁部３１と、内壁部３０の上端から径方向外側に向かって突出していると共に内壁部３０の外周面に沿って全周に亘って周設された環状の肩部３２と、肩部３２の上面に立設されていると共に内壁部３０の内周面に沿って全周に亘って周設された筒状の立上げ部３３と、肩部３２の外縁から垂下されていると共に肩部３２の外縁に沿って全周に亘って周設された筒状の外壁部３４と、を備えている。
【００１９】
外壁部３４の内側に内壁部３０が配設されており、外壁部３４と内壁部３０とは、中心軸線Ｏを中心にして同軸上に配置されている。また、外壁部３４は、内壁部３０よりも軸方向に長く、内壁部３０よりも下方に延伸している。
【００２０】
立上げ部３３と内壁部３０とは直列状に連設されており、立上げ部３３の内周面と内壁部３０の内周面とは面一に形成されている。立上げ部３３の内周面には、本体３と収容体２とを中心軸線Ｏ回りに回転可能にアンダーカット嵌合させるための係合部３５が形成されている。この係合部３５は、立上げ部３３の内周面に沿って周方向全周に沿って延在した環状の凹部である。
【００２１】
隔壁部３１は、内壁部３０の下端を閉塞する底壁部であり、収容体２の底部２１に対向して配設されている。この隔壁部３１は、中心軸線Ｏに対する垂直面に沿って配設された環状の外側領域３１Ａと、外側領域３１Ａの内側に配設された内側領域３１Ｂと、を備えている。内側領域３１Ｂは、その外縁から中心（中心軸線Ｏ）に向かって下向きに傾斜したテーパー状の傾斜壁であり、下方に向かって漸次縮径された円錐台形状に形成されている。
【００２２】
上記した隔壁部３１には、内容物Ｘを吐出する吐出口３６が設けられている。この吐出口３６は、内側領域３１Ｂの下端部に配設されており、これにより、内側領域３１Ｂ上に排出された内容物Ｘが吐出口３６に向かって転がる等して案内され、吐出口３６から吐出される。また、吐出口３６は、粒状の内容物Ｘの直径（最大径）よりも若干大きい径の孔であり、内容物Ｘを一粒ずつ吐出させることができる。
【００２３】
また、隔壁部３１には、収容体２と本体３との相対的な回転を許容しつつ後述する収容体２の通過孔２９を閉塞する閉塞部３７が設けられている。この閉塞部３７は、内側領域３１Ｂの外周部に突設された突出部であり、内側領域３１Ｂの外縁に沿って全周に亘って周設されている。つまり、閉塞部３７は、中心軸線Ｏを中心にして円環状に形成されており、この閉塞部３７の内側に吐出口３６が配設されている。この閉塞部３７の上面は、中心軸線Ｏに対する垂直面に沿って形成された平滑な面である。
【００２４】
上記した閉塞部３７の一部分には、定量の内容物Ｘを充填可能な充填凹部１０が形成されている。この充填凹部１０は、二方向に開口した略立方体状の凹部であり、収容体２の底部２１側（上側）に向けた第一開口１１と、吐出口３６側（径方向内側）に向けた第二開口１２と、を有している。第一開口１１は閉塞部３７の上面に形成され、第二開口１２は閉塞部３７の内周面に形成されており、これら第一、第二開口１１、１２は繋がって開口を形成している。なお、第二開口１２は、閉塞部３７の上端から下端まで延在しており、充填凹部１０の底面は、隔壁部３１の内側領域３１Ｂの上面と面一に形成されている。つまり、充填凹部１０の底面は、第二開口１２側に向かって下向きに傾斜している。
【００２５】
上記した充填凹部１０は、内容物Ｘを一粒だけ充填できるように構成されている。具体的には、充填凹部１０の幅寸法Ｗ及び奥行き寸法Ｄは、内容物Ｘの直径よりも若干大きく、内容物Ｘの直径の２倍よりも小さい。また、充填凹部１０の高さ寸法Ｈは、内容物Ｘの直径よりも若干大きく、内容物Ｘの直径の２倍よりも小さい。なお、前記高さ寸法Ｈは、第二開口１２における高さ寸法である。
また、閉塞部３７には、上記した構成の充填凹部１０が周方向に間欠的に複数配設されている。具体的には、閉塞部３７には、３つの充填凹部１０が周方向に等間隔に配設されている。
【００２６】
また、隔壁部３１の内側領域３１Ｂの上面には、収容体２と本体３との相対的な回転位置を決めるための位置決めリブ３８と、位置決めリブ３８で位置決めされた位置で収容体２と本体３との相対的な位置を保持するための保持リブ３９と、が設けられている。
【００２７】
位置決めリブ３８は、隔壁部３１の上面に立設された板部である。この位置決めリブ３８は、径方向に沿って延在している。保持リブ３９は、隔壁部３１の上面に突設された半球状の凸部である。これら位置決めリブ３８と保持リブ３９とは周方向に間隔をあけて隣り合わせに配設されている。また、位置決めリブ３８は保持リブ３９よりも高く形成されており、位置決めリブ３８の上端は保持リブ３９の上端よりも高い位置にある。
【００２８】
また、１つの位置決めリブ３８とそれに隣り合う１つの保持リブ３９とが一組となって１つの位置決め部５を構成している。そして、隔壁部３１の内側領域３１Ｂの上面には、複数の位置決め部５が中心軸線Ｏ回りに間欠的に配設されている。具体的には、平面視において、各充填凹部１０の周方向の一方側には、第一位置決め部５Ａが配設されており、他方側には、第二位置決め部５Ｂが配設されている。第一位置決め部５Ａは、充填凹部１０の第一開口１１上に後述する収容体２の通過孔２９が位置すると共に充填凹部１０の第二開口１２が後述する収容体２の第一リブ２４によって閉鎖される位置（第一位置）で収容体２及び本体３を相対的に位置決めするように配設されている。第二位置決め部５Ｂは、閉塞部３７で後述する収容体２の通過孔２９が閉塞されると共に充填凹部１０の第二開口１２から後述する収容体２の第一リブ２４が外れて第二開口１２が開放される位置（第二位置）で収容体２及び本体３を相対的に位置決めするように配設されている。
【００２９】
（収容体）
収容体２は、上端が開口したカップ状の部材であり、その概略構成としては、中心軸線Ｏを中心にして軸方向に延在する筒状の周壁部２０と、周壁部２０の下端に配設された底部２１と、周壁部２０の上端から径方向外側に向かって突出していると共に周壁部２０の外周面に沿って全周に亘って周設された環状のフランジ部２２と、フランジ部２２の上面に立設されていると共にフランジ部２２の外縁に沿って全周に亘って周設された筒状の立上げ部２３と、底部２１の下面から垂下された第一、第二リブ２４、２５と、を備えている。
【００３０】
周壁部２０は上記した本体３の立上げ部３３の内側に配置されており、この周壁部２０の外周面には、収容体２を本体３に装着させるための第一係合部２６が設けられている。この第一係合部２６は、径方向外側に向けて突出していると共に周壁部２０の外周面に沿って周方向に沿って延在した凸条部である。この第一係合部２６は、上記した本体３の係合部３５の内側にアンダーカット嵌合されている。これにより、収容体２と本体３とが中心軸線Ｏ回りに相対的に回転可能となる。また、立上げ部２３の外周面には、収容体２を蓋体４に嵌着させるための第二係合部２７が設けられている。この第二係合部２７は、径方向外側に向けて突出していると共に立上げ部２３の外周面に沿って周方向に沿って延在した凸条部である。
【００３１】
底部２１は、底部２１の外縁から内方側に向かって下向きに傾斜したテーパー形状であって、その下端部２８が中心軸線Ｏから径方向に離間した位置にある偏心円錐台形状の底壁部である。この底部２１の下端部２８は、上記した本体３の閉塞部３７上の位置に配設されており、下端部２８には、内容物Ｘが一粒ずつ通過可能な通過孔２９が設けられている。つまり、この通過孔２９は、中心軸線Ｏから径方向に離間した位置に配設されており、通過孔２９が上記した本体３の充填凹部１０の第一開口１１からずれた位置にあるとき、上記した本体３の閉塞部３７によって閉塞される。
【００３２】
第一リブ２４は、収容体２と本体３との相対的な回転によって上記した本体３の充填凹部１０の第二開口１２を開閉するリブであり、底部２１から軸方向に沿って延設された壁部である。この第一リブ２４は、中心軸線Ｏに対する直交線Ｒに対して垂直な向きに配設されていると共に上記した本体３の閉塞部３７の内周面に沿って円弧状に湾曲している。また、この第一リブ２４は、通過孔２９の中心軸線Ｏ側に隣接する位置に配置されている。つまり、平面視において、第一リブ２４の周方向位置と通過孔２９の周方向位置とは一致している。
【００３３】
第二リブ２５は、その下端が上記した本体３の位置決め部５に係合して収容体２と本体３との相対的な回転位置を決めるリブであり、底部２１から軸方向に沿って延設された平板状の壁部である。この第二リブ２５は、径方向に沿った向きに配設されている。また、第二リブ２５は第一リブ２４よりも中心軸線Ｏの近くに位置しており、しかも、第二リブ２５の周方向位置と第一リブ２４の周方向位置とは異なっている。この第二リブ２５が上記した本体３の位置決めリブ３８と保持リブ３９との間に配置されることで、収容体２と本体３との相対的な回転位置が決められる。
【００３４】
また、収容体２と本体３とが相対的に回転する際に、第二リブ２５の下端が上記した本体３の位置決めリブ３８の上端や保持リブ３９の上端を乗り越えるが、位置決めリブ３８が保持リブ３９よりも高い位置にあるため、第二リブ２５の下端が保持リブ３９を乗り越えるときに要する力よりも第二リブ２５の下端が位置決めリブ３８を乗り越えるときに要する力の方が大きい。つまり、第二リブ２５の下端が保持リブ３９を乗り越えるように回転させるときには、小さい力で足り、第二リブ２５の下端が位置決めリブ３８を乗り越えるように回転させるときには、保持リブ３９を乗り越える時よりも力をかける必要がある。
【００３５】
（蓋体）
蓋体４は、上記した収容体２の上端開口を閉塞する天壁部４０と、天壁部４０の外縁から垂下された周壁部４１と、を備えている。周壁部４１は、上記した収容体２の立上げ部２３及び本体３の立上げ部３３の外周に周設されており、この周壁部４１の内周面には、収容体２の第二係合部２７にアンダーカット嵌合する係合部４２が突設されている。また、収容体２と蓋体４とが共回り可能になるとともに、蓋体４が収容体２から取り外し可能となるように係合されている。なお、周壁部４１は、本体３の肩部３２の上方に間隔をあけて配置されており、周壁部４１の外周面と本体３の外壁部３４の外周面とは概ね段差無く一致している。
【００３６】
上記した本体３と蓋体４付きの収容体２とは、通過孔２９と第一開口１１とを連通させつつ第二開口１２を閉鎖し、収容体２内の内容物Ｘを通過孔２９及び第一開口１１を通って充填凹部１０内に供給して充填凹部１０内に定量（一粒）の内容物Ｘを充填させる第一位置と、閉塞部３７で通過孔２９を閉塞しつつ第二開口１２を開放し、充填凹部１０内に充填された定量の内容物Ｘを隔壁部３１の内側領域３１Ｂ上に排出して吐出口３６から吐出させる第二位置と、の間で回転操作可能である。
【００３７】
次に、上記した構成からなる容器１から内容物Ｘを取り出す操作について説明する。
【００３８】
まず、取り出し操作前の容器１は、図１、図２、図４（ａ）に示すように、収容体２と本体３との相対位置が第二位置にある。すなわち、収容体２の第一リブ２４が充填凹部１０の第二開口１２から外れた位置に配置されているとともに、収容体２の通過孔２９は、本体３の充填凹部１０から外れた位置に配置されている。このとき、収容体２の通過孔２９が閉塞部３７の上面によって閉塞されているので、収容体２内の内容物Ｘが通過孔２９を通って排出されることはない。
【００３９】
またこのとき、収容体２の第二リブ２５の下端が本体３の第二位置決め部５Ｂの位置決めリブ３８と保持リブ３９との間に位置しているので、収容体２と本体３との相対回転が規制され、収容体２と本体３とが第二位置に配置された状態が保持される。
【００４０】
次に、図４（ｂ）、図５、図６に示すように、収容体２と本体３とを中心軸線Ｏ回りに回転させて収容体２と本体３との相対的な位置を第一位置に合せる。詳しく説明すると、収容体２が蓋体４とは共回りするように構成されているので、収容体２に被着された蓋体４を把持して蓋体４と本体３とを相対的に回転させることで、収容体２と本体３とを所定方向に相対的に回転させる。このときの回転方向は、収容体２の第二リブ２５の下端が本体３の前記第二位置決め部５Ｂの位置決めリブ３８を乗り越えて第一位置決め部５Ａ側に移動する方向であり、その方向を蓋体４の表面に矢印等で表示しておくことが好ましい。
【００４１】
収容体２と本体３との相対的な位置を上記した第二位置から第一位置まで移動させる際、収容体２の第二リブ２５の下端は、まず、第二位置決め部５Ｂの位置決めリブ３８を乗り越えて第二位置決め部５Ｂから外れ、その後、第一位置決め部５Ａの保持リブ３９を乗り越えた後、第一位置決め部５Ａの位置決めリブ３８によって係止される。これにより、収容体２と本体３との相対的な位置が第一位置に容易に位置決めされる。そして、収容体２の第二リブ２５の下端が第一位置決め部５Ａの位置決めリブ３８と保持リブ３９との間に位置することで、収容体２と本体３との相対回転が規制され、収容体２と本体３とが第一位置に配置された状態が保持される。なお、第二リブ２５の下端が保持リブ３９を乗り越える際にクリック感が得られるので、第一位置に合せる操作が容易である。
【００４２】
上述したように収容体２と本体３との相対的な位置が第一位置に合せられると、収容体２の通過孔２９と充填凹部１０の第一開口１１とが連通されるので、収容体２内の内容物Ｘが通過孔２９を通って第一開口１１から充填凹部１０内に供給される。このとき、収容体２の第一リブ２４が充填凹部１０の第二開口１２と一致する位置に配置され、この第一リブ２４によって第二開口１２が閉鎖されるので、充填凹部１０内に供給された内容物Ｘは充填凹部１０内に留まる。また、充填凹部１０は、内容物Ｘを一粒だけ充填できる構成となっているので、充填凹部１０内には内容物Ｘが一粒だけ充填され、それ以上の内容物Ｘが充填凹部１０に供給されることはない。
【００４３】
次に、図４（ｃ）、図７に示すように、収容体２と本体３とを中心軸線Ｏ回りに回転させて収容体２と本体３との相対的な位置を第二位置に合せる。詳しく説明すると、蓋体４を把持して蓋体４と本体３とを相対的に回転させることで、収容体２と本体３とを上記した所定方向にさらに相対的に回転させる。これにより、収容体２の第一リブ２４が充填凹部１０の第二開口１２から外れて第二開口１２が開放されるので、充填凹部１０内に充填された内容物Ｘが第二開口１２から排出される。このとき、収容体２の通過孔２９が閉塞部３７で閉塞されているので、充填凹部１０内の内容物が排出されるのと同時に充填凹部１０内に内容物Ｘが供給されることがない。このため、第二開口１２から排出される内容物Ｘは一粒だけとなる。第二開口１２から排出された内容物Ｘは、隔壁部３１の内側領域３１Ｂ上を転がって吐出口３６から吐出される。
【００４４】
上記した容器１によれば、通過孔２９を有する収容体２と、充填凹部１０が形成された閉塞部３７を有する本体３と、を相対的に回転させるだけで、内容物Ｘを一粒ずつ吐出されるので、簡易な構成で定量の内容物Ｘを正確に吐出させることができる。
【００４５】
また、第一位置において充填凹部１０と合致して充填凹部１０の第二開口１２を閉鎖し、第二位置において充填凹部１０から外れて第二開口１２を開放する第一リブ２４により、部品数を増やしたり構成を大幅に複雑化したりすることなく、極めて簡易な構成で、より確実に定量の内容物Ｘを吐出させることができる。
【００４６】
また、閉塞部３７が回転軸線である中心軸線Ｏを中心にして円環状に形成され、この閉塞部３７に複数の充填凹部１０が間欠的に配設されているので、収容体２と本体３とを回転させて第一位置から第二位置に移動させた後、同じ回転方向にさらに回転させると、再び第一位置となる。つまり、収容体２と本体３とを一方向に連続して回転操作することで、第一位置と第二位置とに交互に合わせられるので、容器１の操作性を向上させることができる。しかも一方向に連続回転させることで、容易に定量の内容物Ｘを連続して複数回吐出させることができる。
【００４７】
以上、本発明に係る容器の実施形態について説明したが、本発明は上記した実施形態に限定されるものではなく、その趣旨を逸脱しない範囲で適宜変更可能である。
例えば、上記した実施形態では、収容体２と別体の蓋体４が備えられているが、蓋体をヒンジキャップ状のものにして収容体２と一体に形成することも可能である。
【００４８】
また、上記した実施形態では、内容物Ｘを一粒ずつ吐出する容器１について説明しているが、本発明における定量の内容物の数は適宜変更可能であり、一度に二粒以上の内容物を吐出する容器であってもよい。例えば、図８に示すように、閉塞部３７´を上記した実施形態の閉塞部３７よりも高くして、充填凹部１０´の高さ寸法Ｈ´を上記した実施形態の充填凹部１０の高さ寸法Ｈよりも高くすることで、内容物Ｘを二粒ずつ吐出させることが可能である。なお、このときの充填凹部１０´の高さ寸法Ｈ´は、内容物Ｘの直径の２倍よりも若干大きく、内容物Ｘの直径の３倍よりも小さい。
さらに、本発明に係る容器に粉状の内容物を収容させることも可能であり、その場合、粉状の内容物が充填凹部１０の内容積に対応する量だけ吐出される。この場合、収容体２に設けられた第一リブ２４が充填凹部１０の第二開口１２を隙間無く閉塞するように構成されていることが好ましい。
【００４９】
また、上記した実施形態では、円環状の閉塞部３７に３つの充填凹部１０が形成されているが、本発明は、充填凹部１０の数を適宜変更することが可能であり、円環状の閉塞部３７に２つの充填凹部１０が形成された構成であってもよく、或いは、円環状の閉塞部３７に４つ以上の充填凹部１０が形成された構成であってもよい。さらに、本発明は、閉塞部３７が円環状に形成されていなくてもよく、例えばＣ字形状や半円弧状などのように他の形状の閉塞部にすることも可能であり、充填凹部１０が１つだけであってもよい。
さらに、閉塞部３７は、筒状の周壁と、当該周壁の上端に連結された環状平板状の頂壁とで構成されてもよい。
【００５０】
また、上記した実施形態では、収容体２に充填凹部１０の第二開口１２を開閉する第一リブ２４が設けられているが、本発明は、第一リブ２４を省略することも可能である。例えば、第一リブ２４を省略しても、第二開口１２の下端に低い段差や立上げ壁などが形成されていれば、その段差などによって、第一位置において充填凹部１０に供給された内容物Ｘが第二開口１２から排出されることが規制される。そして、第二位置において容器１を傾けることで、充填凹部１０内の内容物Ｘが前記した段差などを乗り越えて第二開口１２から排出される。
【００５１】
また、上記した実施の形態では、本体３の隔壁部３１の内側領域３１Ｂ上に位置決めリブ３８及び保持リブ３９が設けられており、これら位置決めリブ３８及び保持リブ３９に係合可能な第二リブ２５が収容体２の底部２１から垂下されており、これら位置決めリブ３８及び保持リブ３９と第二リブ２５とによって収容体２及び本体３が第一位置及び第二位置にそれぞれ位置決めされる構成になっているが、収容体２及び本体３を第一位置及び第二位置でそれぞれ位置決めさせる位置決め手段は適宜変更可能である。例えば、上記した位置決めリブ３８及び保持リブ３９が隔壁部３１の外側領域３１Ａに設けられていてもよく、或いは本体３の内壁部３０や立上げ部３３に設けられていてもよい。また、本発明は、例えば第二位置決め部５Ｂを省いて第一位置決め部５Ａだけを設けて、収容体２及び本体３を第一位置だけで位置決めする構成にしてもよい。さらに、本発明は、位置決め手段が無い構成にすることも可能である。
【００５２】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５３】
１  容器
２  収容体
３  本体
１０  充填凹部
１１  第一開口
１２  第二開口
２１  底部
２４  第一リブ（リブ）
２９  通過孔
３１  隔壁部
３６  吐出口
３７  閉塞部
Ｏ  中心軸線（回転軸線）
Ｘ  内容物
【図１】
0005795966.tif 000002
【図２】
0005795966.tif 000003
【図３】
0005795966.tif 000004
【図４】
0005795966.tif 000005
【図５】
0005795966.tif 000006
【図６】
0005795966.tif 000007
【図７】
0005795966.tif 000008
【図８】
0005795966.tif 000009